(57)【要約】【課題】  心線対照用の光を新たに導入する必要がなく、運用時の伝送路損失の低減、および光増幅器を含む光伝送路の周波数利用効率の向上が図れる心線対照方法。【解決手段】  光増幅器１０から出力される主信号光に対して励起レーザダイオード１１の励起パワーを緩やかに変動させることによって、主信号光に対して緩やかな強度変調をかけ、光ファイバー２０を伝送させた後、受光装置５０において光ファイバーに曲げを加えて信号光の漏洩光を検出する。この時受光装置５０上流に光増幅器１０が存在すれば、信号光の緩やかな強度変調を検出できるので心線対照を行っている光ファイバーが所望のものであることがわかる。【選択図】      図１
2006153495.tif 000002
【特許請求の範囲】
【請求項１】
励起光の注入によって信号光を光直接増幅する光増幅器に接続され、前記光増幅器からの前記信号光を伝送している光ファイバーを特定する光ファイバー心線対照方法であって、
前記光増幅器において前記信号光を変調し、
前記光ファイバーの一部から前記変調された信号光を検出する、
ことを特徴とする光ファイバー心線対照方法。
【請求項２】
前記信号光の変調は、
前記励起光の強度の変調による、
ことを特徴とする請求項１に記載の光ファイバー心線対照方法。
【請求項３】
前記信号光の変調は、
前記光増幅器と前記光ファイバーとの間に挿入された光変調器による、
ことを特徴とする請求項１に記載の光ファイバー心線対照方法。
【請求項４】
前記検出される変調された信号光のパラメータは、
前記変調された信号光の強度である、
ことを特徴とする請求項１に記載の光ファイバー心線対照方法。
【請求項５】
前記検出される変調された信号光のパラメータは、
前記信号光に対する変調度または変調周波数または変調波形の何れかである、
ことを特徴とする請求項１に記載の光ファイバー心線対照方法。
【請求項６】
前記光増幅器と該光増幅器に接続された光ファイバーは複数であって、
前記複数の光増幅器の何れか１つにおいて前記信号光を変調して前記光ファイバーを特定する、
ことを特徴とする請求項１に記載の光ファイバー心線対照方法。
【請求項７】
前記光増幅器と該光増幅器に接続された光ファイバーは複数であって、
前記複数の光増幅器の前記信号光の変調パラメータは互いに異なる、
ことを特徴とする請求項１に記載の光ファイバー心線対照方法。
【請求項８】
励起光の注入によって信号光を光直接増幅する光増幅器に接続され、前記光増幅器からの前記信号光を伝送している光ファイバーを特定する光ファイバー心線対照システムであって、
前記光増幅器において前記信号光を変調する手段と、
前記光ファイバーの一部前記変調された信号光を検出する手段、
を備えることを特徴とする光ファイバー心線対照システム。
【請求項９】
前記光ファイバー心線対照システムは、
さらに、前記変調された信号光を検出する手段に接続する第１の通信装置と、
前記光増幅器の前記信号光を変調する手段を制御する光増幅器制御装置と、前記光増幅器制御装置に接続する第２の通信装置とを備え、
前記第１の通信装置から前記第２の通信装置へ送信される制御情報によって、前記信号光を変調する手段が制御される、
ことを特徴とする請求項８に記載の光ファイバー心線対照システム。
【請求項１０】
前記信号光の変調手段は、
前記励起光の強度の変調である、
ことを特徴とする請求項８または９のいずれかに記載の光ファイバー心線対照システム。
【請求項１１】
前記信号光の変調手段は、
前記光増幅器と前記光ファイバーとの間に挿入された光変調器である、
ことを特徴とする請求項８または９のいずれかに記載の光ファイバー心線対照システム。
【請求項１２】
前記検出される変調された信号光のパラメータは、
前記変調された信号光の強度である、
ことを特徴とする請求項８または９のいずれかに記載の光ファイバー心線対照システム。
【請求項１３】
前記検出される変調された信号光のパラメータは、
前記信号光に対する変調度または変調周波数または変調波形の何れかである、
ことを特徴とする請求項８または９のいずれかに記載の光ファイバー心線対照システム。
【請求項１４】
前記光増幅器と該光増幅器に接続された光ファイバーは複数であって、
前記複数の光増幅器の何れか１つにおいて前記信号光を変調して前記光ファイバー特定する、
ことを特徴とする請求項８または９のいずれかに記載の光ファイバー心線対照システム。
【請求項１５】
前記光増幅器と該光増幅器に接続された光ファイバーは複数であって、
前記複数の光増幅器の前記信号光の変調パラメータは互いに異なる、
ことを特徴とする請求項８または９のいずれかに記載の光ファイバー心線対照システム。
【発明の詳細な説明】
【技術分野】
【０００１】
本発明は、光増幅器を含む波長分割多重（Wavelength Division Multiplexing：ＷＤＭ）伝送システムにおいて、多数の心線を有する光ファイバーケーブルの誤切断や誤接続を回避するために光ファイバー心線の個別識別を行う心線対照の機能を組み込んだ心線対照システム及び心線対照方法に関する。
【背景技術】
【０００２】
１９８０年代前半に光ファイバー通信が実用化されて以来、光ファイバー通信はその伝送距離の延伸や伝送容量の拡大とともに、その利用範囲を広げてきた。光ファイバーはバックボーンネットワーク系とアクセス系の双方において大変注目されている伝送媒体である。長距離伝送では、太平洋を横断する光ファイバーケーブルがすでに数多く敷設され、またアクセス系では近い将来、光ファイバーがすべての家庭にまで接続されることが見込まれている。特にインターネットの爆発的な普及は目をみはるものであり、この通信方式による更なる高速、大容量の通信網の構築が必要となってきている。
光ファイバーが長距離間において敷設される際には、中継区間内において複数本、時には数百本もの光ファイバーが同時に敷設される。光ファイバーが正常に運用されている時には途中区間において心線対照（識別）を行う必要はない。光ファイバーケーブルを新たに敷設する工事や切り替え工事、撤去工事の際には、誤接続や誤切断を回避するために、作業現場において多数に束ねられた光ファイバーの中から目的の光ファイバーを識別する必要が出てくる。このために用いられる技術として心線対照技術がある。
【０００３】
従来の心線対照技術が特許文献１に開示されている。開示された心線対照技術について図７を参照して説明する。図７において、心線対照を必要とする光ファイバー２０の上流側に設置した心線対照用光源装置１１０から光ファイバー２０に心線対照用光信号（対照光）を光カプラ２１を介して入射する。光ファイバー２０の下流側では、受光装置６０において光ファイバー２０に湾曲を与えることにより、対照光を光ファイバー２０の外へ放射させて、この対照光を検出する。
光カプラ２１は２本の光ファイバーの光パワーを合波する光部品である。心線対照用光源装置１１０は信号光よりも波長の長いレーザダイオード（ＬＤ）、または発光ダイオード（ＬＥＤ）などの光に、発光制御部３３によって数１００Ｈｚ程度の低い周波数の変調を加えた対照信号光を発光する装置である。
光ファイバーの曲げによる光の漏洩損失は一般的に長波長になる程大きくなるので対照光の波長は信号光よりも波長の長いものが用いられる。心線対照を必要とする光ファイバー２０の上流に光カプラ２１を用いて対照信号光と光増幅器１０から出る信号光を合波させ光ファイバー２０に入射する。そして光ファイバー２０下流に位置する受光装置６０において光ファイバーに曲げを与え、曲げ部位から漏れてくる長波長の対照光漏洩成分中の低周波信号を検出する。光信号受光装置６０では信号光に対してはほとんど影響を与えず、対照光に対してのみ影響を与える程度の曲げ径が加えられ、放射された対照信号光を受光する。
このように対照光の漏洩光を検出することによって、光ファイバーを切断・破壊することなく、また、主信号光を送信中であっても、任意の場所で所望の光ファイバーを特定することができる。
【０００４】
【特許文献１】特開２００４−０９３４１３号公報（第３−７頁、図１）
【発明の開示】
【発明が解決しようとする課題】
【０００５】
しかしながら、従来の心線対照技術を用いると次のような課題がある。
第１の課題は、通信光の高速、広帯域化に伴い、通信光の長波長化が急速に進んでいるため、通信光と対照光の波長が近接してしまい、対照光の漏洩光のみを検知することが非常に困難になってきていることである。
第２の課題は、複数の通信業者が混在している場合、通信光と対照光の波長を完全に異なるように配置することは難しく、波長多重技術を用いた対照光のみの抽出は困難になって来ている点である。
第３の課題は、伝送信号を伝搬させる光ファイバー２０に光カプラ２１を挿入するため信号光に対しても損失を与えてしまうことである。通常光カプラ２１は光増幅器１０の出力に挿入されるが、心線対照を行わない時にはこの光カプラ２１は伝送路に対して損失を与える光部品でしかない。心線対照を行わない通常運用時には心線対照用光源装置９０も光カプラ２１も不必要であるので取り除く。取り除かなければ、伝送路損失の増加となる。心線対照を行う際には、光カプラ２１を光ファイバー２０に対して挿入する接続作業の間は通信光が遮断されることになる。
本発明は、従来の心線対照技術のもつ課題に鑑みてなされたものであって、その目的は、心線対照用の光を新たに導入する必要がなく、運用時の伝送路損失の低減、および光増幅器を含む光伝送路の周波数利用効率の向上が図れる光ファイバー心線対照方法並びに心線対照システム技術を提供することにある。
【課題を解決するための手段】
【０００６】
上記の課題を解決するために本発明の光ファイバー心線対照方法は、励起光の注入によって信号光を光直接増幅する光増幅器に接続され、光増幅器からの信号光を伝送している光ファイバーを特定する光ファイバー心線対照方法であって、光増幅器において信号光を変調し、光ファイバーの一部前記変調された信号光を検出することを特徴とする。
信号光の変調は、励起光の強度の変調によってもよい。
信号光の変調は、光増幅器と光ファイバーとの間に挿入された光変調器によってもよい。
検出される変調された信号光のパラメータは、変調された信号光の強度であってもよい。
検出される変調された信号光のパラメータは、信号光に対する変調度または変調周波数または変調波形の何れかであってもよい。
光増幅器と該光増幅器に接続された光ファイバーは複数であって、複数の光増幅器の何れか１つにおいて信号光を変調して光ファイバーを特定してもよい。
光増幅器と該光増幅器に接続された光ファイバーは複数であって、複数の光増幅器の信号光の変調パラメータは互いに異なってもよい。
【０００７】
また、本発明の光ファイバー心線対照システムは、励起光の注入によって信号光を光直接増幅する光増幅器に接続され、光増幅器からの信号光を伝送している光ファイバーを特定する光ファイバー心線対照システムであって、光増幅器において信号光を変調する手段と、光ファイバーの一部前記変調された信号光を検出する手段を備えることを特徴とする。
光ファイバー心線対照システムは、さらに、変調された信号光を検出する手段に接続する第１の通信装置と、光増幅器の信号光を変調する手段を制御する光増幅器制御装置と、光増幅器制御装置に接続する第２の通信装置とを備え、第１の通信装置から第２の通信装置へ送信される制御情報によって、信号光を変調する手段が制御されてもよい。
信号光の変調手段は、励起光の強度の変調であってもよい。
信号光の変調手段は、光増幅器と光ファイバーとの間に挿入された光変調器であってもよい。
検出される変調された信号光のパラメータは、変調された信号光の強度であってもよい。
検出される変調された信号光のパラメータは、信号光に対する変調度または変調周波数または変調波形の何れかであってもよい。
光増幅器と該光増幅器に接続された光ファイバーは複数であって、複数の光増幅器の何れか１つにおいて信号光を変調して光ファイバーを特定してもよい。
光増幅器と該光増幅器に接続された光ファイバーは複数であって、複数の光増幅器の信号光の変調パラメータは互いに異なってもよい。
【発明の効果】
【０００８】
本発明では、光増幅器から出力される信号光に対して強度変調をかけている。これにより信号光に新たに対照光を入射する必要がなくなる。また通信光に対して直接変調を行うため信号外波長を用いる必要がなくなり、周波数利用効率の向上が可能となる。
【発明を実施するための最良の形態】
【０００９】
本発明の実施の形態について図面を参照して説明する。
［第１の実施例］
図１に本発明の心線対照を実施するための第１の実施形態を示す。
本実施例は、波長分割多重中継伝送システムに用いられる光増幅器に光ファイバーの心線対照の機能を組み込むことを特徴としている。とくに光増幅器増幅利得を微小に変化させることによって心線対照のための情報を主信号光に載せることを特徴としている。
構成は、光増幅器１０と、光増幅器出力の伝送路である光ファイバー２０と、心線対照を行う地点で光ファイバー２０に挿入される光信号受信装置５０からなる。
光増幅器１０は、入力光信号を直接増幅することができる光増幅装置であり、内部構成は以下のようになる。
励起ＬＤ１１は単一波長で発振する光源である。通常その波長帯は０．９８μｍや１．４８μｍ帯が使用される。ＷＤＭカプラ１２、１３は、励起光を主信号伝送路に合波するための光カプラである。
エルビウムドープトファイバー（以下、ＥＤＦ）１４は、光ファイバーのコア部に希土類元素のエルビウムイオンを添加したファイバーである。波長０．９８μｍ、１．４８μｍの励起光を吸収すると、電子が高いエネルギー準位に励起される。励起状態にあるエルビウムイオンに波長１．５５μｍ帯（Ｃ−ｂａｎｄ）や１．５９μｍ帯（Ｌ−ｂａｎｄ）の信号光を入射させると誘導放出が生じ、信号光のパワーが増幅される。
光アイソレータ１５は、光を一方向にだけ通すデバイスである。
光ファイバー２０は、離れて位置する次段の光中継装置や端局装置、分岐挿入装置やクロスコネクト装置等のノードまで信号光を伝送するケーブルである。ケーブルの芯の部分とそれを取り囲む鞘部分の二重構造になっており、芯の部分をコア、周囲をクラッドと呼ぶ。コアの部分に光を通すと、コアとクラッドの境界面で屈折率の違いによる全反射と言う現象が起こり、光を伝達する。これまで情報通信用に使われてきたメタル線に比べて電磁誘導ノイズを受けない、伝送損失が非常に小さいなどの特長があり、高速かつ長距離の伝送が可能である。
光信号受光装置５０は、光ファイバーに曲げを加えてそこから出てくる漏洩光を検出する装置であり、光ファイバー湾曲付与器５１と受光素子５２と受光レベル検出部５３からなる。光ファイバー湾曲付与器５１は光ファイバーに曲げを与えて漏洩光を出射させる。受光素子５２は漏洩光を光電変換する。受光レベル検出部５３は、漏洩光の光電変換レベルを測定し、必要に応じて信号処理や処理結果の表示、処理結果に基づく信号や情報の発出を行う。
【００１０】
次に図１の構成の動作について説明する。
光増幅器１０の利得は、励起ＬＤ１１の励起パワー及びＥＤＦ１４の長さに対応して増減する。光増幅器１０における利得を変化させるためにＥＤＦ１４の長さを可変にすることは非常に困難なので、励起ＬＤ１１の励起パワーを変化させることで利得を変化させる。
実運用中の光増幅器は、光増幅特性を安定化するためのＡＰＣ（Auto-Power Control）やＡＬＣ(Auto-Level Control)等の帰還制御が施されている。フリーランニング時の光増幅器出力特性の一例を図２に示す。図は入力光レベルＰｉ＝−５ｄＢｍ一定下における、励起光パワーに対する光出力レベルの変化を表す。一般に、利得は飽和特性を有している。
光増幅器１０において励起光パワーを制御した時の受光素子５２受光面に到達する受光レベルの一例を、図３の光レベルダイヤグラムで示す。
ここで、入力信号パワーをＰｉ＝−５ｄＢｍとし、光増幅器１０は、通常通信時の利得は２５ｄＢ、伝送路ファイバー２０の損失２０ｄＢとしている。また、光信号受光装置５０での損失を０．５ｄＢとし、その１％が受光素子５２で検出可能とする。１．４８μｍ帯励起ＬＤ１１の励起パワーは前方後方とも１３０ｍＷとし、この時出力信号パワーは＋２０ｄＢｍとなり、受光素子５２は−３０ｄＢｍの光を検出する。この値を基準漏洩光パワー［Ｐ１］とする。
次に、励起ＬＤ１１の励起パワーを前方後方共に２００ｍＷとする。この時、出力信号パワーは＋２２ｄＢｍであり、受光素子５２は−２７．５ｄＢｍの光を検出する。この値を［Ｐ２］とする。
次に、ＬＤ１１の励起パワーを前方後方共に１００ｍＷとする。この時、出力信号パワーは＋１８．５ｄＢｍであり、受光素子５２は−３１ｄＢｍの光を検出する。この値を［Ｐ３］とする。
【００１１】
次に、心線対照の動作フローについて、図４を参照して説明する。
光ファイバーが束ねられたケーブルの中から対照する光ファイバー２０を選び、光信号受光装置５０をセットする（Ｓ１）。
選んだ光ファイバー２０を光信号受光装置５０が備える光ファイバー湾曲付与器５１に挿入し、光ファイバーに曲げを与える（Ｓ２）。
光増幅器１０の励起光パワーを通常の通信運用時の１３０ｍＷに設定する（Ｓ３）。
光増幅器１０の励起光パワーを上げ、２００ｍＷに設定する（Ｓ５）。
受光レベル検出部５３は、漏洩光パワー［Ｐ２］を検出する（Ｓ６）。
受光レベル検出部５３は、Ｐ１＜Ｐ２を検知する（Ｓ７）。
光増幅器１０の励起光パワーを下げ、１００ｍＷに設定する（Ｓ８）。
受光レベル検出部５３は、漏洩光パワー［Ｐ３］を検出する（Ｓ９）。
受光レベル検出部５３は、Ｐ３＜Ｐ１を検知する（Ｓ１０）。
Ｓ３〜Ｓ１０のステップを３回繰り返し、常にＰ２＞Ｐ１＞Ｐ３が成立するならば（Ｓ１１）、
現在心線対照を行っている光ファイバー２０の上流には励起光パワーに変化を与えた光増幅器１０が確実に接続されている、すなわち所望の光ファイバーが検出できたことがわかる（Ｓ１２）。
Ｓ３〜Ｓ１０のステップの３回目が未了である場合、さらに測定を重ねる（Ｓ３）。
一方、励起ＬＤ１１の励起パワーを変化させても受光素子５２の受光パワーに変化が見られない場合（Ｓ２  Ｎｏ、Ｓ１０  Ｎｏ）、現在心線対照を行っている光ファイバーの上流には光増幅器１０は存在しない、すなわち判別しようとしている光ファイバーではないため他の光ファイバーに受光装置５０を設置して同様の作業を繰り返す（Ｓ１）。
【００１２】
本実施例においては、励起ＬＤの励起波長１．４８μｍ帯を適用しているが、本発明は励起波長０．９８μｍ帯を用いても可能である。
本実施例においては、ＥＤＦを適用しているが、本発明はツリウムドープトファイバーを用いたＳ−ｂａｎｄ帯（１４６０〜１５３０ｎｍ）でも適用可能である。
本実施例において、光増幅器は双方向励起を適用しているが、前方励起のみ、あるいは後方励起のみの場合でも本実施例は適用可能である。
本実施例においては、基準漏洩光パワーＰ１に対して励起ＬＤ１１の励起パワーの増減を行い心線対照しているが、Ｐ１とＰ２を比較し常にＰ２＞Ｐ１、あるいはＰ１とＰ３を比較し常にＰ１＞Ｐ３の成立を実測することによる心線対照も可能である。
本実施例においては、Ｐ２計測時に励起ＬＤ１１の励起パワーを２００ｍＷ、Ｐ３計測時に励起ＬＤ１１の励起パワーを１００ｍＷとしているが、より大きく励起ＬＤ１１の励起パワーを変動させることでより確実な心線対照を行うことができる。
本実施例においては、作業を３回繰り返しているが、さらに複数回繰り返すことでより確実な心線対照を行うことが可能である。
本実施例においては、励起ＬＤ１１の励起パワーを準静的に上げ下げし、受光素子５２で受光パワーの変化を計測している。変化の周波数は、主信号光のＳ／Ｎやジッタに影響を及ぼさない範囲で上げることはできる。光増幅器毎に励起ＬＤ１１の励起パワーによって信号光に異なる周波数または波形で強度（振幅）変調をかけ、その変調信号の振幅（変調度）や周波数や波形を光信号受光装置５０において検出することによっても心線を特定することは可能である。
【００１３】
以上説明した本実施例においては、以下に記すような効果を奏する。
第１の効果は励起ＬＤ１１の出力を増減させることで漏洩光検出時のパワーを変化させているので、新たに光部品を追加することなく心線対照を行うことができることである。
第２の効果は伝送路に対して光部品等を追加することなく漏洩光検出が可能なので、伝送信号を切断することなく心線対照を行うことができることである。
第３の効果は伝送路に対して光部品等を追加することなく漏洩光検出が可能なので、光部品によるロスマージンを光増幅器や伝送路に配付できることである。
【００１４】
［第２の実施例］
本発明の第２の実施例について説明する。その基本的構成は第１の実施例と同様であるが、本第２の実施例では、光増幅器の励起光を制御するのではなく、主信号光そのものに緩やかな変調をかけるために外部光変調器を備えている。その構成を図５に示す。
本図において光増幅器４０は光増幅器１０に外部光変調器９０が追加されている。外部光変調器９０は光信号に対して変調をかける光部品であり、ニオブ酸リチウム（ＬｉＮｂＯ３）結晶光導波路を用いたマッハツェンダー型や音響光学型のものなどがある。外部光変調器９０での変調周波数０．１Ｈｚ、信号変調強度を±２ｄＢとする。
信号光受光装置５０で１００秒間漏洩光を検出し、漏洩光パワーに増減があれば現在心線対照を行っている光ファイバー２０の上流には光増幅器４０がある、すなわち所望の光ファイバーが検出できたことがわかる。
一方、漏洩光パワーに増減がない場合、現在心線対照を行っている光ファイバーの上流には光増幅器４０は存在しない、すなわち所望の光ファイバーではないため他の光ファイバーに受光装置を設置して同様の作業を繰り返す必要がある。
なお、本実施例においては、ＥＤＦを適用しているが、本発明はツリウムドープトファイバーを用いたＳ−ｂａｎｄ帯（１４６０〜１５３０ｎｍ）でも適用可能である。本実施例においては、双方向励起を適用しているが、前方励起のみ、あるいは後方励起のみの場合でも適用可能である。
【００１５】
［第３の実施例］
本発明の第３の実施例について図６を参照して説明する。本実施例の心線対照システムは、光増幅器３０と、それに接続する光ファイバー２０と、心線対照を実施する光信号受光装置５０に通信を介した制御の要素を加えて構成している。付加された制御の要素は、ネットワーク１００と、光信号受光装置５０に接続する光信号受光装置側の通信装置６０と、光増幅器３０を制御する光増幅器制御装置７０と、光増幅器制御装置８０に接続する光増幅器側の通信装置８０を含む。通信装置６０及び７０は、無線または有線を通じてネットワーク１００に接続している。
ネットワーク１００は、公衆通信網やインターネット網を含む。
複数の光増幅器３０−１〜３０−ｎは、第１の実施例の光増幅器１０または第２の実施例の光増幅器４０と同じ構成である。但し、光増幅器３０の励起ＬＤまたは光変調器は、光増幅器制御装置７０によって制御される。
【００１６】
本実施例の心線対照システムの動作を説明する。
心線対照を開始する前に光信号受光装置５０は、３０−１〜３０−ｎの内の１つの光増幅器３０−ｉを指定し、光増幅器が備える励起ＬＤまたは光変調器によって主信号を変調する条件を設定する。変調条件は、励起ＬＤの場合には、励起光パワー、駆動電流切り替えのタイミングであり、光変調器の場合には、変調の周波数と振幅である。光増幅器の指定情報と変調条件の情報は、光信号受光装置側の通信装置６０とネットワーク１００を介して光増幅器側の通信装置８０に送信される。
光信号受光装置側の通信装置６０からの情報を受信した光増幅器側の通信装置８０は、光増幅器制御装置７０に情報を転送する。光増幅器制御装置７０は、転送された情報に基づいて、指定された光増幅器３０−ｉを制御して、主信号の変調を行う。光増幅器３０−ｉ以外の光増幅器は、通常の運用形態の光中継増幅動作を行う。
光信号受光装置５０では、心線対照を行い、光増幅器３０−ｉが接続されている光ファイバー２０−ｉを特定する。光ファイバー２０−ｉが特定されると、光信号受光装置５０は、光増幅器２０−ｉを除く別なる光増幅器２０−ｊの指定とその主信号変調条件の情報を設定し、通信装置６０を通じて送信する。
光増幅器制御装置７０は、上記と同様光増幅器２０−ｊを制御し、これまで制御してきた光増幅器２０−ｉの制御を解除し、光増幅器２０−ｉを通常の運用形態の光中継増幅動作に復帰させる。
光信号受光装置５０では、すでに特定した光ファイバー２０−ｉを除いて心線対照を行い、光増幅器３０−ｊが接続されている光ファイバー２０−ｊを特定する。光ファイバー２０−ｊが特定されると、光信号受光装置５０は、光増幅器２０−ｉと２０−ｊを除く別なる光増幅器２０−ｋの指定とその主信号変調条件の情報を設定し、通信装置６０を通じて送信する。
上記のルーティン動作を完了することによって、ケーブルを構成する全ての光ファイバーが特定される。
上記の説明では、複数の光増幅器３０は同一中継装置内に装備され、１つの光増幅器制御装置の制御を受ける場合を想定している。光ネットワークが複雑に構成されていて、上記の中継装置とは地理的に離れた場所に該当する光増幅器が位置していても、光増幅器が上記の制御要素と通信要素を備えていれば心線対照を実施することができる。
【図面の簡単な説明】
【００１７】
【図１】本発明の心線対照方法を実施する第１の実施例の構成を示す図である。
【図２】図１を構成する光増幅器のフリーランニング時の励起光パワーに対する光増幅器出力の特性を示す図である。
【図３】図１の構成における光レベルダイヤグラムの一例を示す図である。
【図４】本発明の第１の実施例の構成における心線対照方法の動作フローを示す図である。
【図５】本発明の心線対照方法を実施する第２の実施例の構成を示す図である。
【図６】本発明の第３の実施例の心線対照システムの構成を示す図である。
【図７】従来の心線対照システムの構成を示す図である。
【符号の説明】
【００１８】
１０    光増幅器
１１    励起ＬＤ
１２、１３    ＷＤＭカプラ
１４    ＥＤＦ
１５    光アイソレータ
２０    光ファイバー
３０    光増幅器
４０    光増幅器
５０    光信号受信装置
５１    光ファイバー湾曲付与器
５２    受光素子
５３    受光レベル検出部
６０    通信装置
７０    光増幅器制御装置
８０    通信装置
９０    外部光変調器
１００    ネットワーク
１１０    光源装置
【図１】
2006153495.tif 000003
【図２】
2006153495.tif 000004
【図３】
2006153495.tif 000005
【図４】
2006153495.tif 000006
【図５】
2006153495.tif 000007
【図６】
2006153495.tif 000008
【図７】
2006153495.tif 000009